(57)【要約】【課題】被写体と姿勢補助具との間に背景カーテンを降ろした状態で撮影を行っても姿勢補助具の輪郭が背景カーテンに写り込まないようにした自動写真撮影装置をを提供する。【解決手段】この自動写真撮影装置は、背面パネル５の前方に、被写体の撮影姿勢を支持するための姿勢補助具１４，１５を備える。被写体と背面パネル５との間には昇降可能な背景カーテン７が設けられる。姿勢補助具１４，１５を利用しない場合、背景カーテン７を降ろした状態で撮影を行う。姿勢補助具１４，１５の色は背面パネル５の色と同じにされているため、姿勢補助具１４，１５の輪郭は背景カーテン７に写り込まない。【選択図】図６
2006227314.tif 000002
【特許請求の範囲】
【請求項１】
被写体を撮影する撮影手段と、
被写体を挟んで前記撮影手段と反対側に設けられた背面パネルと、
前記撮影手段と前記背面パネルとの間に開閉自在に設けられる背景カーテンと、
前記背面パネルと前記背景カーテンとの間に設けられ、前記背面パネルと同じ色を有し、被写体の姿勢を支持するための姿勢補助具とを備えたことを特徴とする自動写真撮影装置。
【請求項２】
請求項１に記載の自動写真撮影装置であって、
前記姿勢補助具の表面のうち少なくとも前記撮影手段により撮影可能な範囲内に位置しかつ前記撮影手段に面する表面の色が前記背面パネルの色と同じであることを特徴とする自動写真撮影装置。
【請求項３】
請求項１に記載の自動写真撮影装置であって、
前記背面パネル及び前記姿勢補助具の色は全て均一であることを特徴とする自動写真撮影装置。
【発明の詳細な説明】
【技術分野】
【０００１】
本発明は、自動写真撮影装置に関し、さらに詳しくは、被写体の撮影姿勢を支持するための姿勢補助具を備えた自動写真撮影装置に関する。
【背景技術】
【０００２】
近年、ゲームセンター等の遊戯を提供する店舗において、写真を撮影してシールプリント等にする自動写真撮影装置が数多く設置されている。このような自動写真撮影装置には、一般に、被写体である利用者を自動写真撮影装置に付属のカメラで撮影した画像を、タブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
また、このような自動写真撮影装置は、より個性的な出来上がりの写真を得たいという利用者の要望があり、様々なポーズをとることができるように工夫されている。
【０００４】
たとえば特開２００２−３３０３１６号公報（特許文献１）に開示された自動写真撮影装置には、被写体の撮影姿勢を支持するための姿勢補助具として撮影台が設けられている。この撮影台の下部には階段が形成され、上部には斜面が形成されている。利用者はこの斜面に寄りかかった状態で撮影を行うことができる。
【０００５】
また、特開２００２−３５４２９８号公報（特許文献２）に開示された自動写真撮影装置には、被写体の撮影姿勢を支持するための姿勢補助具として階段が設けられている。利用者はこの階段に座ったり、寝ころんだりして撮影を行うことができる。さらに同公報には、被写体を前傾姿勢のまま保持するための帯状の身体支持具、利用者が手足を掛けてつかまるためのネット状の身体支持具、ブランコ、吊り輪なども記載されている。
【０００６】
また、特開２００３−１８６１０５号公報（特許文献３）に開示された自動写真撮影装置には、被写体の撮影姿勢を支持するための姿勢補助具としてジャングルジムが設けられている。利用者はこのジャングルジムに登って撮影を行うことができる。さらに同公報には、利用者が壁にしがみつくことができるように杭や面ファスナを設けることも記載されている。
【０００７】
一方、特開２０００−２６７１７９号公報（特許文献４）に開示された自動写真撮影装置には、昇降可能な背景カーテンが設けられている。この背景カーテンは被写体の後方に設けられ、必要なときは降ろされて撮影の背景として使用され、不要なときは巻き上げられる。
【０００８】
このような背景カーテン及び上述した姿勢補助具の両方を備えた自動写真撮影装置を開示した文献は見当たらないが、仮に、被写体と姿勢補助具との間に背景カーテンを降ろした状態で撮影を行なったとすると、姿勢補助具の輪郭が背景カーテンに写り込み、写真の仕上がりが悪くなるという問題が生じる。
【０００９】
この問題を解決するために、たとえば背景カーテンに遮光性カーテンを採用することが考えられるが、遮光性カーテンは厚手で収納し難いという問題が生じる。また、背景カーテンを降ろした状態で撮影を行うときは、姿勢補助具を撮影範囲外に収納するという方法も考えられるが、収納を可能にするための特別な機構を設けなければならず、しかも収納に時間がかかるという問題が生じる。
【００１０】
なお、特許文献１及び２には、クロマキー技術を用いて被写体の画像のみを抽出するために、姿勢補助具の色を背景と同じ青色にすることが記載されている。しかし、いずれの自動写真撮影装置も背景カーテンを備えていない。
【特許文献１】特開２００２−３３０３１６号公報
【特許文献２】特開２００２−３５４２９８号公報
【特許文献３】特開２００３−１８６１０５号公報
【特許文献４】特開２０００−２６７１７９号公報
【発明の開示】
【発明が解決しようとする課題】
【００１１】
本発明の目的は、被写体と姿勢補助具との間に背景カーテンを装着した状態で撮影を行っても姿勢補助具の輪郭が背景カーテンに写り込まないようにした自動写真撮影装置を提供することである。
【課題を解決するための手段及び発明の効果】
【００１２】
本発明による自動写真撮影装置は、撮影手段と、背面パネルと、背景カーテンと、姿勢補助具とを備える。撮影手段は、被写体を撮影する。背面パネルは、被写体を挟んで撮影手段と反対側に設けられる。背景カーテンは、撮影手段と背面パネルとの間に開閉自在に設けられる。姿勢補助具は、背面パネルと背景カーテンとの間に設けられ、背面パネルと同じ色を有し、被写体の姿勢を支持するためのものである。
【００１３】
この自動写真撮影装置によれば、姿勢補助具を利用しないで撮影を行う場合、被写体と姿勢補助具との間に背景カーテンを装着する。姿勢補助具の色は背面パネルの色と同じであるため、姿勢補助具の輪郭が背景カーテンに写り込まない。
【００１４】
好ましくは、姿勢補助具の表面のうち少なくとも撮影手段により撮影可能な範囲内に位置しかつ撮影手段に面する表面の色が背面パネルの色と同じである。
【００１５】
好ましくは、背面パネル及び姿勢補助具の色は全て均一である。
【発明を実施するための最良の形態】
【００１６】
以下、図面を参照し、本発明の実施の形態を詳しく説明する。図中同一又は相当部分には同一符号を付してその説明は繰り返さない。
【００１７】
図１及び図２を参照して、本発明の実施の形態による自動写真撮影装置１は、撮影を行う撮影空間２と、撮影により得られた写真画像の編集を行う編集空間３とに分かれる。撮影空間２には、撮影筐体４及び背面パネル５が互いに対向して設置され、編集空間３には、編集筐体８が撮影筐体４に隣接して設置される。撮影空間２及び編集空間３はサイドカーテン９などにより外部と区分されている。
【００１８】
背面パネル５の上方よりも少し前方には、背景カーテンユニット６が装備される。背景カーテンユニット６には、複数の背景カーテン７がそれぞれ巻き取られて収納される。背景カーテン７は様々な色や柄を有し、撮影時には所望の１枚が降下され、被写体の背景を形成する。背景カーテン７を降ろした状態が背景カーテン７を閉じた状態であり、背景カーテン７を上げた状態が背景カーテン７を開けた状態である。背景カーテン７はモータ等で回転されて自動的に降下されるようにしてもよいが、利用者の手動操作で引き出されて降下されるようにしてもよい。
【００１９】
自動写真撮影装置１の側面には、自動写真撮影装置１を利用するための対価として硬貨を投入するための硬貨投入口３１と、撮影空間２で撮影しかつ編集空間３で編集した画像をシール紙に印刷して排出するプリント排出口５１とが設けられる。
【００２０】
この自動写真撮影装置１を利用する場合、まず利用者は硬貨投入口３１に硬貨を投入する。硬貨を受け付けると、自動写真撮影装置１は利用可能な状態にあればその旨を案内する。利用者はその案内に従って、開放されている後方側面から撮影空間２に入り、撮影筐体４に向かって撮影操作を行う。撮影終了後、利用者は編集空間３に移動し、今度は編集筐体８に向かってお絵描きや落書きと呼ばれる編集操作を行う。
【００２１】
図３を参照して、撮影筐体４の正面中央にはカメラ１０が設けられ、その下方には撮影操作モニタ１１が設けられ、さらにそれらの周りには照明装置１３が設けられる。
【００２２】
カメラ１０は利用者を被写体として撮影するもので、一般にデジタルカメラが用いられる。カメラ１０は複数台設けたり、移動や角度調節をできるようにしたりしてもよい。
【００２３】
撮影操作モニタ１１は、カメラ１０で撮影されている映像をリアルタイムで表示する。さらに、その画面上には透明なタッチパネルが貼り付けられており、撮影操作モニタ１１は、タッチパネルに対する利用者の入力操作を受け付ける。
【００２４】
照明装置１３は、カメラ１０の上下左右及び天井に設けられ、被写体を前方から照明する。照明装置１３はその内部に、蛍光灯などの常灯照明と、ストロボなどの閃光照明（フラッシュ）とを有する。ストロボは、利用者から撮影の開始が指示され、カメラ１０が撮影している映像を静止画として取り込む瞬間に発光し、被写体を強く照明する。
【００２５】
照明装置は上記以外に、被写体の側方及び後方にも設けられ、被写体をあらゆる方向から照明する。
【００２６】
図４を参照して、編集筐体８は撮影筐体４と背中合わせに設置される。編集筐体８の正面中央には編集操作モニタ４０が設けられ、さらにその左右にタッチペン４２が設けられる。
【００２７】
編集操作モニタ４０は、カメラ１０で撮影された写真画像を表示する。さらに、その画面上には透明なタッチパネルが貼り付けられており、編集操作モニタ４０は、タッチパネルに対する利用者の入力操作を受け付ける。利用者がタッチペン４２を用いて、フレーム、スタンプ、線書き、テキスト文字などの画像を入力すると、編集操作モニタ４０はその入力画像を写真画像に重ねて表示する。編集終了後、自動写真撮影装置１は入力画像と写真画像の合成画像をシール紙に印刷してプリント排出口５１から排出し、利用者に提供する。
【００２８】
編集操作モニタ４０やタッチペン４２は複数設けてもよい。この場合、同一グループの複数の利用者が同時に編集操作を行うことができる。
【００２９】
図１及び図５を参照して、背面パネル５には、被写体の姿勢を支持するための姿勢補助具１４，１５が装着される。具体的には、背面パネル５の両側に側板１６が設置され、姿勢補助具１４，１５は側板１６の間に架設される。姿勢補助具１４は鉄パイプで構成され、利用者の平均身長よりも少し高い１５０〜１７０ｃｍ程度の高さに設けられる。一方、姿勢補助具１５は、鉄パイプ１７と、その周りに巻かれた円筒状のクッション材１８とで構成され、利用者の平均的な腰の高さに相当する６０〜８０ｃｍ程度の高さに設けられる。そして、背面パネル５の前面及び姿勢補助具１４，１５の表面は全て同じ色で均一に塗装される。
【００３０】
クッション材１８の表面は、柔らかくて頑丈なビニールレザー、ファー、皮革など、肌触りがよく、しかも破れたり、汚れたりし難い素材を利用するのが好ましい。また、クッション材１８の表面は取り外し可能にし、汚れた場合は容易に交換できるようにしておくのが好ましい。
【００３１】
利用者は姿勢補助具１４にぶら下がったり、姿勢補助具１８にもたれたり、座ったりするなど、姿勢補助具１４，１５を適宜利用して所望の姿勢で撮影を行う。その結果、ユニークな写真を撮ることができる。
【００３２】
一方、側板１６の上方には背景カーテンユニット６が取り付けられる。図１及び図６に示すように、背景カーテン７は背景カーテンユニット６から伸び出し、被写体と姿勢補助具１４，１５との間に降下される。
【００３３】
姿勢補助具１４、１５を利用しない場合、背景カーテン７を降ろした状態で撮影を行う。この場合、姿勢補助具１４，１５は背景カーテン７で隠れるので、写真には写らない。したがって、背景カーテン７の色や柄を背景に撮影を行うことができる。
【００３４】
ここで、仮に姿勢補助具１４，１５の色が背面パネル５の色と異なっていたとすると、姿勢補助具１４，１５の輪郭が背景カーテン７に写り込み、図６に点線で示すように、姿勢補助具１４，１５の輪郭がぼんやりと写真に写ってしまうことがある。その原因としては、背景カーテン７は透明ではないが、薄手で、わずかに光透過性を有していること、撮影の瞬間に照明を強くすることなどを挙げることができる。
【００３５】
しかし、本実施の形態では、姿勢補助具１４，１５の色は背面パネル５の色と同じなので、姿勢補助具１４，１５が背景カーテン７から透けて見えても、姿勢補助具１４，１５を背面パネル５と区別することができない。その結果、背景カーテン７に姿勢補助具１４，１５の輪郭が写り込んでいない良好な写真を取ることができる。
【００３６】
上記実施の形態では姿勢補助具１４，１５の全表面を背面パネル５と同じ色にしているが、全表面を同じ色にする必要はなく、少なくともカメラ１０で撮影可能な範囲内に位置しかつカメラ１０に面する表面の色を背面パネル５の色と同じにすればよい。したがって、姿勢補助具１４，１５の背面の色は特に限定されない。
【００３７】
また、姿勢補助具も上述されたものに限定されるものではなく、たとえば図７に示すように、背面パネル５上にには、円柱状の姿勢補助具１９を突設してもよい。この場合も、姿勢補助具１９の表面は背面パネル５と同じ色にする。利用者は、これらの姿勢補助具１９に手足を掛けることにより、背面パネル５にしがみついた状態で撮影を行うことができる。また、背景カーテン７を降ろした状態で撮影を行っても、姿勢補助具１９と背面パネル５は同じ色であるから、姿勢補助具１９の輪郭が背景カーテン７に写り込むことはない。この場合も、円柱状の姿勢補助具１９の少なくとも上面を背面パネル５と同じ色にすればよく、側面は何色でもよい。
【００３８】
また、複数の背景カーテン７を備えた背景カーテンユニット６を用いる必要はなく、１枚の背景カーテンを昇降可能に設けてもよい。また、背景カーテンは、巻き上げられて収納されるタイプのものに限定されることなく、たとえば上方にスライドされ、そこで垂直に折り曲げられて撮影空間２の天井に収納されるタイプのものでもよい。また、１又は２枚の背景カーテンをカーテンレールに吊し、背景カーテンを左右に移動させるタイプのものでもよい。この場合、背景カーテンを左右に収納した状態が背景カーテンを開けた状態であり、背景カーテンを左右から引き出した状態が背景カーテンを閉じた状態である。要するに、被写体と姿勢補助具との間に開閉自在な背景カーテンを設ければよい。
【００３９】
また、上述したように姿勢補助具及び背面パネルの表面を同じ色で塗装してもよいが、これに代えて、それらの表面に同じ生地の布を貼り付けてもよい。また、色は何色でもよい。ここで、同じ色というのは、全体にわたって均一であるのが好ましいが、多少のムラや地模様があってもよく、色相、彩度及び明度の全てが一致する完全に同じ色に限定されるものではない。要するに、背景カーテンを降ろして撮影を行ったときに得られた写真に、姿勢補助具の輪郭が背景カーテンに目視で識別可能なほどに写り込んでいなければよく、許容可能な色差は、カメラの特性、照明の強さ、背景カーテンの厚さ又は生地、背景カーテンと姿勢補助具との間の距離など、様々なファクタに応じて定められる。
【００４０】
また、背面パネルは、板状のものに限らず、撮影空間を外部と仕切り、被写体の後方に写り込むものであればよい。たとえば、撮影空間を形成するための枠材を取り囲む用に設けられたシート状のビニール材でもよい。
【００４１】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００４２】
【図１】本発明の実施の形態による自動写真撮影装置の構成を示す断面図である。
【図２】図１に示した写真撮影装置の外観を示す側面図である。
【図３】図１及び図２に示した撮影筐体の正面図である。
【図４】図１及び図２に示した編集筐体の斜視図である。
【図５】図１に示した撮影空間内の背後の斜視図である。
【図６】図５に示した撮影空間内の背後の正面図である。
【図７】図５に示した姿勢補助具の他の例を示す斜視図である。
【符号の説明】
【００４３】
１  自動写真撮影装置
５  背面パネル
７  背景カーテン
１０  カメラ
１４，１５，１８，１９  姿勢補助具
【図１】
2006227314.tif 000003
【図２】
2006227314.tif 000004
【図３】
2006227314.tif 000005
【図４】
2006227314.tif 000006
【図５】
2006227314.tif 000007
【図６】
2006227314.tif 000008
【図７】
2006227314.tif 000009